(57)【要約】【課題】既設の建物への取り付け及び当該建物からの取り外しを簡単且つ迅速に行うことができ、建物との間の隙間を狭めることができ、更に、良好に動作するように建物に取り付けることのできるブラインド装置及びその取付機構を提供すること。【解決手段】ブラインド装置１は、縦枠２及び３と、互いに並置されたリンク機構４及び５と、端部６がリンク機構４に、端部７がリンク機構５に夫々連結されてなるスラット支持部材８と、スラット支持部材８に支持されていると共に縦枠２及び３間の開口部Ｐに並置されたスラット９と、最上位のスラット支持部材８を介してスラット９を上昇、下降させる上昇・下降機構１０と、上昇・下降機構１０によるスラット９の上昇、下降においてスラット９を傾動させるチルト機構１１と、最下位のスラット９の上昇を禁止する禁止手段１２と、縦枠２及び３を建物２００の窓枠２０１に取り付ける取付機構２０２とを具備している。【選択図】      図１
2004218361.tif 000002
【特許請求の範囲】
【請求項１】
一対の縦枠と、互いに並置された第一及び第二のリンク機構と、一方の端部が第一のリンク機構に、他方の端部が第二のリンク機構に連結されてなる複数のスラット支持部材と、両端部で各スラット支持部材の夫々に支持されたスラットと、スラットをスラット支持部材を介して上昇、下降させる上昇・下降機構と、この上昇・下降機構によるスラットの上昇、下降において第一及び第二のリンク機構に相対的な位置変化を生じさせてスラットを傾動させるチルト機構と、最下位のスラットの上昇を禁止する禁止手段と、一対の縦枠を建物の窓枠に取り付ける取付機構とを具備しており、取付機構は、一対の側壁を有したコ字状本体、コ字状本体の一方の側壁に配されていると共に横方向に突出した窓枠の突出部が嵌着される嵌着部及びコ字状本体の他方の側壁に配されていると共に横方向に伸びたスリットを具備した取付部材と、縦枠との間でコ字状本体の他方の側壁を挟持するようにスリットを介して縦枠に螺合する螺合部材とを具備しており、スリットは、コ字状本体を縦枠と螺合部材との間から抜き出すことができるように、コ字状本体の他方の側壁の端面で開放されているブラインド装置。
【請求項２】
スリットは、コ字状本体の端面を構成している他方の側壁の端面で開放されている請求項１に記載のブラインド装置。
【請求項３】
嵌着部は、一方の側壁が当該側壁の外側に折り返されてなる折り返し部と、一方の側壁及び折り返し部に規定されていると共に窓枠の突出部が嵌入される嵌入溝とを具備している請求項１又は２に記載のブラインド装置。
【請求項４】
折り返し部は、嵌入溝に嵌入された突出部に圧接するように、一方の側壁に向かって突出した凸部を具備している請求項３に記載のブラインド装置。
【請求項５】
請求項１から４のいずれか一項に記載の取付機構。
【発明の詳細な説明】
【０００１】
【発明の属する技術分野】
本発明は、建物の窓等の開口部に配されて、当該開口部を開閉するためのブラインド装置及びその建物への取付機構に関する。
【０００２】
【従来の技術】
本出願人は、先に、特開平８−３２６４４５号公報に記載されているようなブラインド装置を提案した。
【０００３】
斯かるブラインド装置は、一対のリンク機構と、一方の端部が一方のリンク機構に、他方の端部が他方のリンク機構に夫々連結されてなる複数のスラット支持部材と、このスラット支持部材の夫々に支持されたスラットと、スラットを上昇、下降させる上昇・下降機構と、この上昇・下降機構によるスラットの上昇、下降において一対のリンク機構に相対的な位置変化を生じさせて、スラットを傾動させるチルト機構とを具備しており、各スラット支持機構は、略中央部でスラットの端部を支持するアーム部材を具備している。
【０００４】
【特許文献１】
特開平８−３２６４４５号公報
【０００５】
ところで、斯かるブラインド装置は、建物の壁や窓枠等の予め設けられた取付部に取り付けられるために、当該取付部が設けられていない既設の建物にブラインド装置を取り付けることは極めて困難であると考えられる。
【０００６】
また、上記のようなブラインド装置を建物の取付部に取り付ける場合には、例えば、当該ブラインド装置と建物の取付部との夫々にブラケットを固定し、当該ブラケットの夫々をブラインド装置とは別体の連結金具に連結することが考えられるが、このようにしてブラインド装置を建物に取り付けると、ブラインド装置及び建物の取付部にブラケットを夫々固定するために、ブラインド装置と建物との間に大きな隙間が生じてしまう虞があり、また、ブラインド装置とは別個の連結金具を用いることによりブラインド装置の取り付け及び取り外し作業も複雑となるために、ブラインド装置の取り付け及び取り外し作業を簡単且つ迅速に行うことが困難である。
【０００７】
更に、上記のようなブラインド装置は、建物に予め設けられている取付部に取り付けられるため、ブラインド装置の縦枠等の位置を適宜調整することが難しく、而して、ブラインド装置が良好に動作するように建物に取り付けることが困難である。
【０００８】
【発明が解決しようとする課題】
本発明は、前記諸点に鑑みてなされたものであり、その目的とするところは、既設の建物への取り付け及び当該建物からの取り外しを簡単且つ迅速に行うことができ、建物との間の隙間を狭めることができ、更に、良好に動作するように建物に取り付けることのできるブラインド装置及びその取付機構を提供することにある。
【０００９】
【課題を解決するための手段】
本発明の第一の態様のブラインド装置は、一対の縦枠と、互いに並置された第一及び第二のリンク機構と、一方の端部が第一のリンク機構に、他方の端部が第二のリンク機構に連結されてなる複数のスラット支持部材と、両端部で各スラット支持部材の夫々に支持されたスラットと、スラットをスラット支持部材を介して上昇、下降させる上昇・下降機構と、この上昇・下降機構によるスラットの上昇、下降において第一及び第二のリンク機構に相対的な位置変化を生じさせてスラットを傾動させるチルト機構と、最下位のスラットの上昇を禁止する禁止手段と、一対の縦枠を建物の窓枠に取り付ける取付機構とを具備しており、ここで、取付機構は、一対の側壁を有したコ字状本体、コ字状本体の一方の側壁に配されていると共に横方向に突出した窓枠の突出部が嵌着される嵌着部及びコ字状本体の他方の側壁に配されていると共に横方向に伸びたスリットを具備した取付部材と、縦枠との間でコ字状本体の他方の側壁を挟持するようにスリットを介して縦枠に螺合する螺合部材とを具備しており、スリットは、コ字状本体を縦枠と螺合部材との間から抜き出すことができるように、コ字状本体の他方の側壁の端面で開放されている。
【００１０】
第一の態様のブラインド装置によれば、上述の構成を具備しているために、ボルト等からなる螺合部材を緩めて取付部材を横方向に移動させることで既設の建物への取り付け及び既設の建物からの取り外しを簡単且つ迅速に行うことができ、取付部材と窓枠の突出部との間にブラケット等を介在させずに建物との間の隙間を狭めることができ、更に、縦枠を横方向に移動させてこれらの間隔を簡単に調整でき、従って、良好に動作するようにブラインド装置を建物に取り付けることができ、更に、螺合部材を緩めることで、取付部材の縦枠への取り付け及び縦枠からの取り外しを簡単に行い得る。
【００１１】
本発明の第二の態様のブラインド装置では、第一の態様のブラインド装置において、スリットは、コ字状本体の端面を構成している他方の側壁の端面で開放されている。
【００１２】
本発明の第三の態様のブラインド装置では、第一又は第二の態様のブラインド装置において、嵌着部は、一方の側壁が当該側壁の外側に折り返されてなる折り返し部と、一方の側壁及び折り返し部に規定されていると共に窓枠の突出部が嵌入される嵌入溝とを具備している。
【００１３】
本発明の第四の態様のブラインド装置では、第三の態様のブラインド装置において、折り返し部は、嵌入溝に嵌入された突出部に圧接するように、一方の側壁に向かって突出した凸部を具備している。
【００１４】
第四の態様のブラインド装置によれば、上述の構成を具備しているために、凸部を窓枠の突出部に圧接させて、ブラインド装置を建物に強固に取り付けることができる。
【００１５】
次に、本発明の実施の形態の例を、図に示す好ましい例に基づいて更に詳細に説明する。尚、本発明はこれら例に何等限定されないのである。
【００１６】
【発明の実施の形態】
図１から図１２において、本例のブラインド装置１は、一対の縦枠２及び３と、互いに並置されたリンク機構４及び５と、一方の端部６がリンク機構４に、他方の端部７がリンク機構５に夫々連結されてなる複数のスラット支持部材８と、スラット支持部材８の夫々に支持されていると共に縦枠２及び３間の開口部Ｐに並置された複数のスラット９と、最上位のスラット支持部材８を介してスラット９を上昇、下降させる上昇・下降機構１０と、上昇・下降機構１０によるスラット９の上昇、下降においてリンク機構４及び５に相対的な上下方向の位置変化を生じさせて各スラット９を傾動させるチルト機構１１と、最下位のスラット９の上昇を禁止する禁止手段１２と、縦枠２及び３を建物２００の窓枠２０１に取り付ける取付機構２０２と、一対の縦枠２及び３の上部間に配された上カバー枠１３と、一対の縦枠２及び３の下部間に配された底枠１４ａと、最下位のスラット９よりも下方に生じ得る隙間を閉鎖する閉鎖板１４１とを具備している。
【００１７】
縦枠２及び３は、夫々互いに同様に構成されているので、以下、縦枠２について詳細に説明し、縦枠３については、その詳細な説明を省略する。
【００１８】
縦枠２は、中空の縦枠本体１４と、縦枠本体１４の内面に嵌着された案内通路形成部材１５とを具備しており、縦枠本体１４は、上下方向に伸びた案内スリット１６を有しており、案内通路形成部材１５は、走行体としてのチェーン５２のＡ及びＢ方向の走行を案内する一対の案内通路１７と、連結板１２１の上下動を案内する一条の案内通路１８と、突起１０１の上昇、下降を案内する一条の案内通路１９とを形成するように、複数の突起部２０を具備している。一対の案内通路１７のうちの一方の案内通路１７と案内通路１８とに挟まれた他方の案内通路１７は、連結機構５５の上下動をも案内するようになっている。
【００１９】
縦枠２及び３の夫々には、リンク機構４及び５並びにチルト機構１１が収容されていると共に取付機構２０２が設けられており、縦枠３側のリンク機構４及び５、チルト機構１１並びに取付機構２０２は、縦枠２側のリンク機構４及び５、チルト機構１１並びに取付機構２０２と夫々同様に構成されているので、以下、主として縦枠２側のリンク機構４及び５、チルト機構１１並びに取付機構２０２について詳細に説明し、縦枠３側のリンク機構４及び５、チルト機構１１並びに取付機構２０２については、これらの詳細な説明を省略する。
【００２０】
リンク機構４は、一本の連続した可撓性の帯状体２１と、帯状体２１に固着されていると共に各スラット支持部材８の一方の端部６に回転自在に連結されている複数の軸部材２３とを具備しており、こうして、リンク機構４は、一定の間隔をもって互いに連結された複数の軸部材２３を有しており、リンク機構４の複数の軸部材２３は、帯状体２１に固着されていると共に帯状体２１でもって互いに連結されている。
【００２１】
リンク機構５もまた、リンク機構４と同様に、帯状体２１と同様の一本の連続した可撓性の帯状体２５と、帯状体２５に固着されていると共に各スラット支持部材８の他方の端部７に回転自在に嵌装されている軸部材２３と同様の複数の軸部材２６とを具備しており、こうして、リンク機構５は、一定の間隔をもって互いに連結された複数の軸部材２６を有しており、リンク機構５の複数の軸部材２６は、帯状体２５に固着されていると共に帯状体２５でもって互いに連結されている。
【００２２】
帯状体２１は、各スラット支持部材８の端部６に回転自在に嵌装されている軸部材２３を特に図１２（ａ）及び（ｂ）に示すように貫通していると共に、各貫通部位で軸部材２３に固着されており、最上位及び最下位のスラット支持部材８の端部６に回転自在に嵌装されている軸部材２３を上端部２８及び下端部２９で貫通した帯状体２１は、当該上端部２８及び下端部２９で軸部材２３に固着されて終端している。
【００２３】
帯状体２１と同様に帯状体２５は、各スラット支持部材８の端部７に回転自在に嵌装されている軸部材２６を貫通していると共に、各貫通部位で各軸部材２６に固着されており、最上位及び最下位のスラット支持部材８の端部７に回転自在に嵌装されている軸部材２６を上端部３２及び下端部３３で貫通した帯状体２５は、当該上端部３２及び下端部３３で軸部材２６に固着されて終端している。
【００２４】
帯状体２１及び２５の夫々は、ポリエステル等の合成樹脂製糸の織物若しくは編物の帯（ベルト）又は合成樹脂製の不織布の平坦な帯からなっていてもよいが、これに代えて、その他の強靭な可撓性の帯からなっていてもよい。
【００２５】
軸部材２３及び２６の夫々は、特に図１２の（ａ）及び（ｂ）に示すように、円柱部４６と、円柱部４６の両端面に一体的に設けられている一対の軸部４７と、円柱部４６の軸心に関して対称の位置に配されていると共に円柱部４６に一体的に形成されている一対の矩形状突部１１５及び１１６とを具備した合成樹脂製の一体成形物からなり、帯状体２１及び２５の夫々は、円柱部４６並びに一対の矩形状突部１１５及び１１６に一体的に固着されていると共に当該円柱部４６並びに一対の矩形状突部１１５及び１１６を貫通している。帯状体２１及び２５の夫々への円柱部４６並びに一対の矩形状突部１１５及び１１６の夫々の固着は、軸部材２３及び２６の夫々の一体成形時に行うとよい。
【００２６】
一対のリンク機構４及び５と、互いに平行に配されている複数のスラット９の夫々の端部３９及び４９との間に介在されて各スラット９を一対のリンク機構４及び５に支持させるための各スラット支持部材８は、支持体２２と、支持体２２に嵌着手段４０を介して結合される支持体４２とを有しており、支持体２２は、リンク機構４及び５の軸部材２３及び２６の一端部の軸部４７が回転自在に挿着される軸穴、本例では貫通孔３０を一端部及び他端部（スラット支持部材８の一方及び他方の端部６及び７でもある）の夫々に有したアーム部３１と、アーム部３１の一方の面に一体的に形成されていると共に案内スリット１６を通って縦枠２の内外に配されている軸部３６と、軸部３６に一体的に形成されていると共にスラット９の嵌合部６０に嵌合されるようになっている嵌合突部３７とを有しており、支持体４２は、リンク機構４及び５の軸部材２３及び２６の他端部の軸部４７が回転自在に嵌挿される軸穴、本例では貫通孔３４を一端部及び他端部（スラット支持部材８の一方及び他方の端部６及び７でもある）の夫々に有したアーム部３５を有している。
【００２７】
軸部材２３及び２６の夫々は、アーム部３１とアーム部３５とに挟まれて配された円柱部４６の両端面に一体的に設けられている軸部４７でアーム部３１及び３５の対応の貫通孔３０及び３４に回転自在に嵌挿されている。
【００２８】
アーム部３１及び３５の一端部及び他端部の対応の貫通孔３０及び３４同士が同軸となるように支持体２２と支持体４２とを互いに連結するようになっている嵌着手段４０は、軸部３６が一体的に形成されたアーム部３１の一方の面に対向する他方の面に一体的に形成されていると共に一対の嵌合用開口４１を有した中空矩形状の筒部４３と、アーム部３５の一方の面に一体的に形成されていると共に嵌合用開口４１において筒部４３に係合する一対の係合突部４４とを有している。
【００２９】
各係合突部４４は、アーム部３５の一方の面に一体的に形成されていると共に筒部４３内に挿着される突部本体４５と、突部本体４５の先端に一体的に形成されていると共に嵌合用開口４１において筒部４３に係合するようになっている爪部４８とを有しており、爪部４８の嵌合用開口４１における筒部４３への係合は、突部本体４５の弾性的撓みを利用したスナップフィット式でもって行われるようになっている。
【００３０】
支持体２２は、筒部４３をも含めて合成樹脂からなる一体成形品であって、支持体４２もまた、一対の係合突部４４をも含めて合成樹脂からなる一体成形品である。
【００３１】
複数のスラット支持部材８と、一定の間隔をもって互いに連結された複数の軸部材２３及び２６を夫々が有した一対のリンク機構４及び５とを具備したスラット支持機構５０に端部３９及び４９の夫々で支持された各スラット９は、板状であって湾曲されたスラット本体５１と、スラット本体５１の一方の面において端部３９から４９まで伸びてスラット本体５１の一方の面に一体的に形成された矩形状の嵌合部６０とを具備しており、嵌合部６０は、嵌合突部３７が嵌入できるように中空になっている。各スラット９は、その両端部３９及び４９で縦枠２側及び縦枠３側のスラット支持機構５０によって開口部Ｐにおいて互いに平行になるように支持されている。嵌合部６０は、スラット本体５１の一方の面において端部３９から４９まで伸びて設ける必要はなく、少なくとも端部３９及び４９においてスラット本体５１の一方の面に設ければよい。
【００３２】
スラット支持機構５０を介してスラット９を上昇、下降させる上昇・下降機構１０は、縦枠２及び３に配された可撓性の走行体としてのチェーン５２と、自由端となっている一方の端部５３を有したチェーン５２の他方の端部５４を最上位のスラット支持部材８に連結する連結機構５５と、チェーン５２をＡ及びＢ方向に走行させる走行装置５６と、チェーン５２のＡ及びＢ方向の走行においてチェーン５２の撓みを阻止する阻止機構５７とを具備している。
【００３３】
チェーン５２、連結機構５５及び阻止機構５７の夫々は、縦枠２側及び縦枠３側において互いに同様に構成されているので、以下、縦枠２側について詳細に説明し、縦枠３側の詳細な説明を省略する。
【００３４】
チェーン５２は撓まないように案内通路１７に配されており、Ａ及びＢ方向のその走行が案内通路１７により案内されるようになっている。
【００３５】
連結機構５５は、最上位のスラット支持部材８の軸部３６と同心に配されたピン部材６１を介してアーム部３５に回動自在に連結された連結板６２と、連結板６２に一対のピン部材６３を介して固着されているスライダ６４とを具備しており、スライダ６４は、スライダ本体６５と、一対のピン部材６３の夫々を介してスライダ本体６５に回転自在に支持されていると共に一方の案内通路１７と案内通路１８とに挟まれた他方の案内通路１７に上下動自在に配された一対のローラ６６（一方のみ図示）とを具備しており、スライダ本体６５にチェーン５２の他方の端部５４がピン部材６７を介して回動自在に連結されている。
【００３６】
走行装置５６は、チェーン５２に対する走行力を手動操作で発生する無端の玉チェーン７１と、玉チェーン７１からの走行力をチェーン５２に伝達する伝達手段７２とを具備している。
【００３７】
伝達手段７２は、玉チェーン７１が掛け回されていると共に回転軸７３に固着されたプーリ７４と、回転軸７３に固着された歯車７５と、歯車７５に噛み合っていると共に回転軸７６に固着された歯車７７と、回転軸７６に固着された歯車７８と、歯車７８に噛み合っていると共に回転軸７９に固着された歯車８０と、歯車８０に噛み合っていると共に回転軸８１に固着された歯車８２と、回転軸８１の一端部８３に固着されていると共にチェーン５２が掛け回されているスプロケットホイール８４と、回転軸８１の回転に対して一定の制動を与える制動機構８５とを具備している。
【００３８】
プーリ７４に掛け回された玉チェーン７１は、ブラインド装置１が設置される建物の窓等の開口部において室内側８８に人手により操作可能となるように垂れ下がっている。
【００３９】
回転軸７３、７６、７９及び８１はブラケット９１に回転自在に支持されており、ブラケット９１は、縦枠２の縦枠本体１４の上部内面に固着されている。
【００４０】
歯車７５、７７、７８、８０及び８２は、プーリ７４の回転を減速して回転軸８１に伝達する減速歯車機構を構成しており、一端部８３に縦枠本体１４内に配されたスプロケットホイール８４が固着されている回転軸８１は、上カバー枠１３内を通って縦枠３の縦枠本体内まで伸びており、スプロケットホイール８４と同様のスプロケットホイールが回転軸８１の縦枠３側の他端部にも固着されており、回転軸８１の他端部側のスプロケットホイールには、縦枠２内に配されたチェーン５２と同様にして縦枠３内に配されたチェーンが掛け回されている。
【００４１】
制動機構８５は、ブラケット９１に固着されたハウジング９２内に配された環状の制動板９３と、回転軸８１に固着された環状の制動受板９４と、ハウジング９２及び制動板９３間に配されていると共に制動板９３を制動受板９４に弾性的に押圧させて摩擦接触させるコイルばね９５とを具備しており、制動板９３と制動受板９４との摩擦接触でもって、玉チェーン７１の人手による走行でのプーリ７４の回転では回転軸８１の回転を許容し、玉チェーン７１を人手により走行させない際におけるスラット９等の自重によるチェーン５２及びスプロケットホイール８４を介する回転軸８１の回転を禁止するようになっている。
【００４２】
阻止機構５７は、スプロケットホイール８４の外周の周りに配されていると共に、取り付け板９６を介して縦枠本体１４の上部内面に固着されたチェーン押え８６及び８７を具備しており、チェーン押え８６及び８７は、スプロケットホイール８４の周りでのチェーン５２の撓みを阻止して、チェーン５２のスプロケットホイール８４への噛み付きを保証するようになっている。
【００４３】
上昇・下降機構１０において、玉チェーン７１の人手による一方の方向の走行でのプーリ７４の回転で歯車７５、７７、７８、８０及び８２を介してスプロケットホイール８４が回転されて例えばチェーン５２がＡ方向に走行されると、端部５４の上昇と共に案内通路１７により案内されて連結機構５５が上昇されて、連結機構５５の上昇でもってピン部材６１を介して連結機構５５に回動自在に連結されたアーム部３５を有した最上位のスラット支持部材８もまた上昇され、最上位のスラット支持部材８の上昇でもって、一対のリンク機構４及び５を介して最上位のスラット支持部材８に連結された下位のスラット支持部材８も、最上位のスラット支持部材８のすぐ下のスラット支持部材８から次々に上昇される結果、各スラット支持部材８に支持されたスラット９もまた次々に上昇されることになり、而して、最上位のスラット支持部材８に連結された上昇・下降機構１０は、最上位のスラット支持部材８を持ち上げてスラット９を次々に上昇させるようになっている。
【００４４】
また上昇・下降機構１０において、玉チェーン７１の人手による他方の方向の走行でのプーリ７４の回転で歯車７５、７７、７８、８０及び８２を介してスプロケットホイール８４が回転されてチェーン５２がＢ方向に走行されると、端部５４の下降と共に案内通路１７により案内されて連結機構５５が下降されて、連結機構５５の下降でもってピン部材６１を介して連結機構５５に回動自在に連結されたアーム部３５を有した最上位のスラット支持部材８もまた下降され、最上位のスラット支持部材８の下降でもって、一対のリンク機構４及び５を介して最上位のスラット支持部材８に連結された下位のスラット支持部材８も、最下位のスラット支持部材８から次々に下降される結果、各スラット支持部材８に支持されたスラット９もまた次々に下降されることになり、而して、最上位のスラット支持部材８に連結された上昇・下降機構１０は、最上位のスラット支持部材８を下げてスラット９を次々に下降させるようになっている。
【００４５】
本例では、回転軸７３は、歯車７５、７７、７８、８０及び８２からなる減速機構を介して回転軸８１に連結されているが、このようにプーリ７４の回転を間接的に回転軸８１に伝達する代わりに、回転軸８１にプーリ７４を固着して、プーリ７４の回転を回転軸８１に直接に伝達してもよく、また、玉チェーン７１に代えて又は玉チェーン７１と共に電動モータを用いてもよく、この場合には、電動モータの出力回転軸を回転軸７３に連結しても或いは電動モータの出力回転軸を回転軸８１として用いてもよく、この場合、必要に応じて、速度制御可能な電動モータを用いてもよい。
【００４６】
チルト機構１１は、最上位のスラット支持部材８の上昇、下降と共に移動するように、最上位のスラット支持部材８のアーム部３５において係合突部４４が形成された一方の面に対向する他方の面に一体的に形成されている円柱状の突起１０１と、案内通路形成部材１５に取り付けられていると共に案内通路１９に連通する案内凹所１０２を有したカム部材１０３とを具備している。
【００４７】
チルト機構１１は、チェーン５２のＡ方向の走行による最上位のスラット支持部材８の上昇において、最上位のスラット支持部材８に設けられている突起１０１をカム部材１０３に当接させて突起１０１を案内通路１９から案内凹所１０２に案内して、突起１０１が形成されたアーム部３５を有した最上位のスラット支持部材８に軸部３６を中心としたＲ１方向の回動を生じさせ、これによりリンク機構４の帯状体２１に対してリンク機構５の帯状体２５を持ち上げて上昇させ、而して、最上位のスラット支持部材８に続く下位のスラット支持部材８にもリンク機構４及び５を介して同様のＲ１方向の回動を生じさせ、而して、全てのスラット９を同様にＲ１方向に回動させる一方、チェーン５２のＢ方向の走行による最上位のスラット支持部材８の下降において、突起１０１を案内凹所１０２から案内通路１９に案内して最上位のスラット支持部材８に軸部３６を中心としたＲ２方向の回動を生じさせ、これによりリンク機構５の帯状体２５に対してリンク機構４の帯状体２１を持ち上げて上昇させ、而して、全てのスラット９を同様にＲ２方向に回動させるようになっている。
【００４８】
禁止手段１２は、案内通路形成部材１５の下部に配された連結板１２１と、一端部１２２で連結板１２１に連結されており、他端部１２３で案内通路形成部材１５の下端に固着されて固定されている弾性体としてのコイルばね１２４と、連結板１２１に軸部材１２５を介して回転自在に取り付けられていると共に一方の案内通路１７と案内通路１８とに挟まれた他方の案内通路１７に配されたローラ１２６と、連結板１２１に軸部材１２７及び１２８を介して回転自在に取り付けられていると共に案内通路１８に配された一対のローラ１２９（一個のみ図示）とを具備しており、一対のローラ１２９によって揺動しないようになっている連結板１２１は、最下位のスラット支持部材８の軸部３６と同心に配された軸部材（図示せず）を介して最下位のスラット支持部材８のアーム部３５にＲ１及びＲ２方向に回動自在に連結されている。
【００４９】
禁止手段１２は、最下位のスラット支持部材８の上昇による連結板１２１の案内通路１７及び１８に沿った上昇において、連結板１２１をコイルばね１２４の弾性力により下方に引っ張り、これにより最下位のスラット支持部材８の一定以上の持ち上げを弾性的に阻止するようになっている。
【００５０】
取付機構２０２は、一対の側壁２１２及び２１４を有したコ字状本体２１１、コ字状本体２１１の一方の側壁２１２に配されていると共に横方向に突出した窓枠２０１の突出部２０５が嵌着される嵌着部２１３及びコ字状本体２１１の他方の側壁２１４に配されていると共に横方向に伸びたスリット２１５を有している取付部材２１６と、縦枠２との間で側壁２１４を挟持するようにスリット２１５を介して縦枠２に螺合する螺合部材としてのボルト２１７とを具備している。尚、取付部材２１６及び縦枠２間には、本例では、玉チェーン７１を囲む囲み板２２０が挟まれている。
【００５１】
嵌着部２１３は、側壁２１２が当該側壁２１２の外側に折り返されてなる折り返し部２２２と、側壁２１２及び折り返し部２２２に規定されていると共に窓枠２０１の突出部２０５が嵌入される嵌入溝２２３とを具備している。
【００５２】
スリット２１５は、取付部材２１６を縦枠２とボルト２１７との間から抜き出すことができるように、コ字状本体２１１の端面を構成している側壁２１４の端面２２１で開放されている。
【００５３】
ボルト２１７は、縦枠２に螺合することができるように外周面にねじ切りが施された円柱状部２１７ａと、円柱状部２１７ａの一端に一体的に形成された頭部２１７ｂとを具備しており、円柱状部２１７ａは、スリット２１５を挿通することができる程度の径を有している一方、頭部２１７ｂは、円柱状部２１７ａの径よりも大きな径であってスリット２１５を挿通することができない程度の径を有している。ボルト２１７は、円柱状部２１７ａで縦枠２に螺合し、頭部２１７ｂで側壁２１４に圧接することによって縦枠２との間で側壁２１４を挟持するようになっている。
【００５４】
折り返し部２２２は、嵌入溝２２３に嵌入された突出部２０５に圧接するように、側壁２１２に向かって突出した凸部２２４を具備している。
【００５５】
以上の取付機構２０２は、取付部材２１６を横方向に移動させて窓枠２０１の内方に位置させ、取付部材２１６を突出部２０５に向かって横方向に移動させて嵌入溝２２３に突出部２０５を嵌入させ、縦枠２の窓枠２０１に対する横方向における位置を調整した後、ボルト２１７を締めることによって、縦枠２を窓枠２０１の突出部２０５に取り付けるようになっており、縦枠３側においても上記と同様にして縦枠３を窓枠２０１の突出部２０５に取り付けるようになっている。また、取付機構２０２は、ボルト２１７を緩めて取付部材２１６を横方向に移動させて嵌入部２２３から突出部２０５を引き抜くことで、縦枠２及び３を窓枠２０１から取り外すようになっている。
【００５６】
また、取付機構２０２は、スリット２１５が端面２２１で開放されてなるために、ボルト２１７を緩めて頭部２１７ｂの側壁２１４への圧接を解除し、取付部材２１６を縦枠２に対して当該縦枠２の外側に向かって横方向に移動させて、側壁２１４を縦枠２とボルト２１７の頭部２１７ｂとの間から抜け出させることで、取付部材２１６を縦枠２から簡単に取り外すことができる一方、側壁２１４を縦枠２とボルト２１７の頭部２１７ｂとの間に配し、ボルト２１７を締めて頭部２１７ｂを側壁２１４に圧接させて、縦枠２及びボルト２１７により側壁２１４を挟持することで、取付部材２１６を縦枠２に簡単に取り付けることができるようになっている。
【００５７】
閉鎖板１４１は、開口部Ｐの完全閉鎖状態（図１５に示す状態）において、最下位のスラット９と底枠１４ａとの間に生じる隙間を閉鎖するために、底枠１４ａに立設されている。
【００５８】
以上のブラインド装置１では、一対の縦枠２及び３、上カバー枠１３並びに底枠１４ａで囲まれた開口部Ｐの開放状態においては、突起１０１は案内通路１９に配されて、図１４に示すように帯状体２１及び２５は撓んでおり、スラット９の夫々は図１３に示すように下方に互いに密に重合されて（束ねられて）いる。玉チェーン７１の人手による一方の方向の走行でのチェーン５２のＡ方向の走行による開口部Ｐの閉鎖に際しては、まず最上位のスラット支持部材８が上昇され始め、最上位のスラット支持部材８の上昇でもってリンク機構４及び５の帯状体２１及び２５がぴんと伸ばされることにより最上位のスラット支持部材８に続くスラット支持部材８が上昇され始め、以下、同様にして順次後続のスラット支持部材８が上昇されて、これと共にスラット９も順次上昇され、突起１０１が案内通路１９に案内されて上昇する際には、スラット９がほぼ水平方向の傾動状態に保持される結果、図１から図３に示すように、開口部Ｐは、スラット９でもって簾状に閉鎖される。
【００５９】
更にチェーン５２がＡ方向に走行されて、開口部Ｐの完全閉鎖直前位置で帯状体２１及び２５が伸びきる一方、帯状体２１及び２５を介して最下位のスラット支持部材８がコイルばね１２４の弾性力に抗して若干上昇され、突起１０１が案内凹所１０２に臨んでカム部材１０３に当接されると、最上位のスラット支持部材８がＲ１方向に回動され始めて、帯状体２５の上端部３２が帯状体２１の上端部２８に対してより持ち上げられるようになり、これにより最上位のスラット９がＲ１方向に回動されると共に、最上位のスラット支持部材８の回動が帯状体２１及び帯状体２５を介して下位のスラット支持部材８に伝達されて全てのスラット支持部材８及びスラット９が図１５及び図１６に示すようにほぼ垂直方向の傾動状態に保持される結果、スラット９により開口部Ｐは全閉されることになる。
【００６０】
開口部Ｐの開放においては、玉チェーン７１が人手により前記と逆に走行され、これにより突起１０１が案内凹所１０２から案内通路１９へ案内され、最上位のスラット支持部材８の下降と共に帯状体２１及び２５は下方から順次撓むようになる。
【００６１】
以上のブラインド装置１によれば、上述のような取付機構２０２を具備しているために、ボルト２１７を緩めて取付部材２１６を横方向に移動させるだけでブラインド装置１の既設の建物２００の窓枠２０１への取り付け及び窓枠２０１からの取り外しを簡単且つ迅速に行うことができ、取付部材２１６と窓枠２０１の突出部２０５との間にブラケット等を介在させる必要をなくして取付機構２０２の構成を簡単にすると共に縦枠２及び３と窓枠２０１との間の隙間を狭めることができ、ブラインド装置１が良好に動作するように、縦枠２及び３を横方向に移動させてこれらの間隔を簡単に調整することができ、更に、スリット２１５が端面２２１で開放されてなるために、ボルト２１７を緩めることで取付部材２１６の縦枠２及び３への取り付け及び縦枠２及び３からの取り外しを簡単に行うことができる。
【００６２】
また、ブラインド装置１では、上昇・下降機構１０が最上位のスラット支持部材８を介してスラット９を上昇、下降させるようになっているために、図１３に示すように開口部Ｐの完全開放ではスラット９の束を開口部Ｐの下部に配することができる結果、開口部Ｐの完全開放でスラット９に邪魔されないで採光を行い得、しかも、開放時の開放感を十分に得ることができ、しかも、リンク機構４及び５が、可撓性の帯状体２１及び２５と、一定の間隔をもって帯状体２１及び２５に固着されていると共に帯状体２１及び２５でもって互いに連結されている複数の軸部材２３及び２６とを具備しているために、リンク機構４及び５の組立、保守が簡単となり、しかも、帯状体２１及び２５及び複数の軸部材２３及び２６を合成樹脂等で製造することにより軽量化を図り得て、スラット９の持ち上げ、下降にそれほど大きな力を必要としなくなる。
【００６３】
また、ブラインド装置１によれば、リンク機構４及び５の軸部材２３及び２６の一端部の軸部４７が回転自在に挿着される貫通孔３０をアーム部３１がその一端部及び他端部に有し、リンク機構４及び５の軸部材２３及び２６の他端部の軸部４７が回転自在に挿着される貫通孔３４をアーム部３５がその一端部及び他端部に有し、しかも、アーム部３１及び３５の一端部及び他端部の対応の貫通孔３０及び３４同士が同軸となるように、アーム部３１及び３５が嵌着手段４０を介して互いに結合されるようになっているために、リンク機構４及び５の軸部材２３及び２６を両持ちでもって回転自在に支持でき、しかも、軸部材２３及び２６の滑らかな回動を保証できる結果、剛性のリンク部材に代えて可撓性の帯状体２１及び２５を用いても、帯状体２１及び２５を容易に伸長させ、撓ませることができて、スラット９の上昇、下降を滑らかに行わせることができ、而して、スラット９を適切に支持することができる。
【００６４】
加えて、ブラインド装置１によれば、開口部Ｐの完全閉鎖において閉鎖板１４１でもって最下位のスラット９よりも下方に生じる隙間を閉鎖することができる結果、この隙間を介する雨水の侵入等を阻止できて、より完全な開口部Ｐの完全閉鎖を得ることができる。
【００６５】
更に、上記のブラインド装置１によれば、爪部４８の嵌合用開口４１における筒部４３への係合が突部本体４５の弾性的撓みを利用したスナップフィット式でもって行われるようになっているために、嵌着手段４０を介する支持体２２と支持体４２との互いの結合を簡単に行い得、短時間でスラット支持部材８の組立、保守を行うことができる。
【００６６】
上記の例において、端部５３及び５４を有する有端のチェーン５２に代えて、無端のチェーンでもよく、この場合には、スプロケットホイール８４に加えて他のスプロケットホイールを配置して、両スプロケットホイール間に無端チェーンを掛け渡すようにするとよく、斯かる無端チェーンを用いると阻止機構５７を省き得る。加えて、チェーン５２に代えて、タイミングベルト等でもよく、タイミングベルトを用いる場合には、スプロケットホイール８４に代えて歯付プーリを用いるとよい。
【００６７】
また上記では、アーム部３１の他方の面に嵌合用開口４１を有した中空矩形状の筒部４３を一体的に形成し、アーム部３５の一方の面に係合突部４４を一体的に形成して嵌着手段４０を構成したが、これに代えて、アーム部３５の一方の面に嵌合用開口４１を有した中空矩形状の筒部４３を一体的に形成し、アーム部３１の他方の面に嵌合用開口４１において筒部４３に係合する係合突部４４を一体的に形成して嵌着手段４０を構成してもよい。
【００６８】
【発明の効果】
本発明によれば、既設の建物への取り付け及び当該建物からの取り外しを簡単且つ迅速に行うことができ、建物との間の隙間を狭めることができ、更に、良好に動作するように建物に取り付けることのできるブラインド装置及びその取付機構を提供し得る。
【図面の簡単な説明】
【図１】本発明の好ましい一例の斜視図である。
【図２】図１に示す例の側面説明図である。
【図３】図１に示す例の側面説明図である。
【図４】図１に示す例の側面説明図である。
【図５】図１に示す縦枠を含めた図４に示すＶ−Ｖ線断面説明図である。
【図６】図１に示す縦枠を含めた図４に示すＶＩ−ＶＩ線断面説明図である。
【図７】図１に示す縦枠を含めた図４に示すＶＩＩ−ＶＩＩ線断面説明図である。
【図８】図１に示す例の主に伝達手段の平面説明図である。
【図９】図１に示す例の一部分解斜視説明図である。
【図１０】図１に示す例の主に取付機構の説明図である。
【図１１】図１に示す例のスラット支持部材の斜視説明図である。
【図１２】図１に示す例のリンク機構の説明図であって、（ａ）は、その正面説明図、（ｂ）は、その側面説明図である。
【図１３】図１に示す例の動作説明図である。
【図１４】図１に示す例の動作説明図である。
【図１５】図１に示す例の動作説明図である。
【図１６】図１に示す例の動作説明図である。
【符号の説明】
１  ブラインド装置
４、５  リンク機構
８  スラット支持部材
９  スラット
１０  上昇・下降機構
１１  チルト機構
２００  建物
２０１  窓枠
２０２  取付機構
２０５  突出部
２１６  取付部材
２１７  ボルト
【図１】
2004218361.tif 000003
【図２】
2004218361.tif 000004
【図３】
2004218361.tif 000005
【図４】
2004218361.tif 000006
【図５】
2004218361.tif 000007
【図６】
2004218361.tif 000008
【図７】
2004218361.tif 000009
【図８】
2004218361.tif 000010
【図９】
2004218361.tif 000011
【図１０】
2004218361.tif 000012
【図１１】
2004218361.tif 000013
【図１２】
2004218361.tif 000014
【図１３】
2004218361.tif 000015
【図１４】
2004218361.tif 000016
【図１５】
2004218361.tif 000017
【図１６】
2004218361.tif 000018